(57)【要約】【課題】特別なプロセスを特に使用せずに、プリント配線基板上の組立およびコンタクトが技術的に簡単な方法で可能となるように、少なくとも３つ、特に４つ以上のコンタクトバンクを有するプラグイン接続装置を改善すること。【解決手段】少なくとも１つのコンタクトバンクのコンタクト素子のはんだ端子と残りのコンタクトバンクのコンタクト素子のはんだ端子との間の間隔が、残りのコンタクトバンク内のコンタクト素子のはんだ端子間の間隔よりも大きくなるように、その少なくとも１つのコンタクトバンクのコンタクト素子のはんだ端子が配置される。【選択図】図１
2007066890.tif 000002
【特許請求の範囲】
【請求項１】
少なくとも３つの多極コンタクトバンクと、マルチポイント・ピン・コネクタおよびマルチポイント・スロット・コネクタとを備え、前記マルチポイント・ピン・コネクタ（１００）は少なくとも１つの第１コンタクト素子（１２０）を有し、前記マルチポイント・スロット・コネクタ（２００）は、前記第１コンタクト素子に対応する少なくとも１つの第２コンタクト素子を有するプラグイン接続装置であって、
少なくとも１つのコンタクトバンクのコンタクト素子（１２０、２２０；１２０’、２２０’）のはんだ端子（１２８、２２８；１２８’、２２８’）と、残りのコンタクトバンクのコンタクト素子（１２０、２２０；１２０’、２２０’）のはんだ端子（１２８、２２８；１２８’、２２８’）との間の間隔が、前記残りのコンタクトバンク内のコンタクト素子（１２０、２２０；１２０’、２２０’）のはんだ端子（１２８、２２８；１２８’、２２８’）間の間隔よりも大きくなるようにして、前記少なくとも１つのコンタクトバンクの前記コンタクト素子（１２０、２２０；１２０’、２２０’）の前記はんだ端子（１２８、２２８；１２８’、２２８’）が配置されることを特徴とする
プラグイン接続装置。
【請求項２】
４つ以上の偶数のコンタクトバンクを備え、前記コンタクトバンクが対として組み合わされ、これにより、その対となるコンタクトバンクの前記コンタクト素子（１２０、２２０；１２０’、２２０’）の前記はんだ端子（１２８、２２８；１２８’、２２８’）間の間隔は、コンタクトバンクの各対内の前記コンタクト素子（１２０、２２０；１２０’、２２０’）の前記はんだ端子（１２８、２２８；１２８’、２２８’）間の間隔よりも大きくなることを特徴とする
請求項１に記載のプラグイン接続装置。
【請求項３】
前記はんだ端子（１２８、２２８；１２８’、２２８’）は、前記コンタクト素子（１２０、２２０；１２０’、２２０’）から略Ｌ字形に屈曲することを特徴とする
請求項１または２に記載のプラグイン接続装置。
【請求項４】
前記はんだ端子（１２８、２２８；１２８’、２２８’）は、前記コンタクト素子（１２０、２２０；１２０’、２２０’）と一体的に形成されることを特徴とする
請求項１〜３のいずれかに記載のプラグイン接続装置。
【請求項５】
第１対のコンタクトバンクの前記コンタクト素子（１２０、２２０；１２０’、２２０’）の前記はんだ端子（１２８、２２８；１２８’、２２８’）は、隣接する対のコンタクトバンクの前記コンタクト素子（１２０、２２０；１２０’、２２０’）の前記はんだ端子（１２８、２２８；１２８’、２２８’）とは反対向きに配置されることを特徴とする
請求項３または４に記載のプラグイン接続装置。
【請求項６】
前記第１対のコンタクトバンクにおける１つのコンタクトバンクの１つのコンタクト素子（１２０、２２０；１２０’、２２０’）の前記はんだ端子（１２８、２２８；１２８’、２２８’）は、隣接する対のコンタクトバンクにおける１つのコンタクトバンクの前記コンタクト素子（１２０、２２０；１２０’、２２０’）の前記はんだ端子（１２８、２２８；１２８’、２２８’）に対して略１８０°の角度で配置されることを特徴とする
請求項３〜５のいずれかに記載のプラグイン接続装置。
【請求項７】
前記ピンコネクタおよび前記スロットコネクタをそれぞれ収容するシェル（１１０、２１０）が設けられ、各シェルは、その端面（１８０、２８０）に隆起部（２８２）および前記溝部（１８２）を非対称の配置にて有しており、これにより、前記マルチポイント・ピン・コネクタに設けられる前記隆起部または前記溝部の一方（１８２）が、前記マルチポイント・スロット・コネクタに設けられる前記溝部または前記隆起部の他方（２８２）に対して補完的な形状となることを特徴とする
請求項１〜６のいずれかに記載のプラグイン接続装置。
【発明の詳細な説明】
【技術分野】
【０００１】
本発明は、少なくとも３つの多極コンタクトバンク(bank)を有するプラグイン接続装置、特にマルチポイント・ピン・コネクタおよびマルチポイント・スロット・コネクタを備えるプラグイン接続装置に係り、電気配線、特にプリント配線基板の電子部品または要素部品の電気配線が、好適には取り外し可能に接続され得るプラグイン接続装置に関する。
【背景技術】
【０００２】
３つより多い多極コンタクトバンク、特に４つ以上のコンタクトバンクを備えるプラグイン接続装置では、コンタクトの問題がプリント配線基板でしばしば起こる。コンタクトは、互いに比較的接近した状態で並置されるはんだ接続部位を介して行われる。印刷導体をはんだ端子間に配置することは、その形状構成上、困難である。コンタクト素子が互いに接近した状態で並置されているため、例えば、プリント配線基板の反対側のはんだ端子への貫通接続を行うために、はんだ端子間に通常の穴を形成することも実際には容易ではない。かかる貫通接続は、非常に小さい直径を有する貫通穴をレーザービームによって形成する、いわゆる「マイクロ・バイア技術」を用いてのみ実現可能である。公知のプラグイン接続装置における空間的条件に起因して、プリント配線基板を貫通する貫通接続は、このような非常に径の小さい貫通穴を用いてのみ可能であり、それに対応した、細く、従って干渉を起こしやすい電気的導体のみが、この場合に貫通接続を確立するために使用され得る。
【発明の開示】
【発明が解決しようとする課題】
【０００３】
しかしながら、かかる高度技術の利用は望ましくなく、多くの場合、全く実用的ではない。そこで、本発明の目的は、前述の「マイクロ・バイア技術」のような費用のかかるプロセスを特に使用せずに、プリント配線基板上の組立およびコンタクトが技術的に簡単な方法で可能となるように、少なくとも３つ、特に４つ以上のコンタクトバンクを有するプラグイン接続装置を改善することである。
【課題を解決するための手段】
【０００４】
本発明よると、この目的は、少なくとも１つのコンタクトバンクのコンタクト素子のはんだ端子と残りのコンタクトバンクのコンタクト素子のはんだ端子との間隔が、残りのコンタクトバンク内のコンタクト素子のはんだ端子間の間隔よりも大きくなるように、その少なくとも１つのコンタクトバンクのコンタクト素子のはんだ端子が配置される前述の種類のプラグイン接続装置によって達成される。
【０００５】
本発明の基本概念は、少なくとも１つのコンタクトバンクのコンタクト素子のはんだ端子と残りのコンタクトバンクのコンタクト素子のはんだ端子との間に一種の「ダクト」が形成されるようにすることで、そのコンタクトバンクのコンタクト素子のはんだ端子を残りのコンタクトバンクのコンタクト素子のはんだ端子から分離することである。そして、このダクトには、通常の穿穴工具を用いて製作可能な、それ自体は公知の印刷導体または穴が設けられ、これにより、コンタクト素子とのコンタクトが確立される追加の印刷導体を反対側に配置することを可能にするようにして、はんだ端子の反対側のプリント配線基板への貫通コンタクトを行うことを可能とする。
【０００６】
プラグイン接続装置の有利な実施形態は請求項１に係る従属請求項に記載されている。
好ましい実施形態によれば、例えば、プラグイン接続装置は４つ以上の偶数のコンタクトバンクを備え、対となるコンタクトバンクのコンタクト素子のはんだ端子間の間隔が、コンタクトバンクの各対内のコンタクト素子のはんだ端子間の間隔よりも大きくなるように、前記コンタクトバンクが対として組み合わされる。この配置によって、コンタクトバンクの対の間に、印刷導体または貫通接続部が配置され得る前述のダクトが形成可能となる。
【０００７】
容易に実現され、従って非常に有利である一実施形態によれば、はんだ端子はコンタクト素子から略Ｌ字形に屈曲することが好ましい。
【０００８】
はんだ端子はコンタクト素子と一体的に形成されることが好ましい。これは安定性および製造上において有利である。
この配置では、第１対のコンタクトバンクのＬ字形に屈曲したコンタクト素子のはんだ端子は、第２対のコンタクトバンクの屈曲したはんだ端子とは反対向きに配置されることが有利である。この配置により、ダクトとして上に述べた、貫通接続用の印刷導体または穴を収容する所望の空き空間が、はんだ端子間に形成される。
【０００９】
１つの有利な実施形態によれば、第１対のコンタクトバンクのコンタクト素子のＬ字形に屈曲したはんだ端子は、第２対のコンタクトバンクのコンタクト素子の屈曲したはんだ端子に対して実質的に１８０°の角度で配置される。Ｌ字形のはんだ端子をコンタクト素子に配置することによって、ダクトは簡単な方法で実現され、同時に、コンタクト確立のためにキャリア基板上に設けられるはんだパッドとのコンタクトを確立するのに十分な大きさのはんだ端子が実現され得る。
【００１０】
例えば、２対のコンタクトバンクのみを有するマルチポイント・ピン・コネクタの、４対のコンタクトバンクを有するマルチポイント・スロット・コネクタへの差し込み、またはその逆を可能とする一方で、かかるプラグイン接続装置において極性反転を防止するために、マルチポイント・ピン・コネクタに設けられる隆起部または溝部が、マルチポイント・スロット・コネクタに配置される溝部または隆起部に対して補完的な形状となるように、ピンコネクタおよびスロットコネクタのそれぞれを収容するシェルは、隆起部または溝部をそれらの端面に非対称の配置で備える。
【００１１】
従って、例えば、４つのコンタクトバンクを有するマルチポイント・ピン・コネクタが、４つのコンタクトバンクを有するマルチポイント・スロット・コネクタに所定の位置のみにおいて接続され得るように、隆起部および溝部は相互に嵌め込まれる。また、２つのコンタクトバンクを各々有する２つのマルチポイント・ピン・コネクタを４つのコンタクトバンクを有するマルチポイント・スロット・コネクタに接続することも可能である。その場合、２つのコンタクトバンクを各々有するマルチポイント・ピン・コネクタは隆起部を備え、隆起部の各々はマルチポイント・スロット・コネクタのシェルの溝部の１つに嵌合する。同様に、２つのコンタクトバンクを各々有する２つのマルチポイント・スロット・コネクタを４つのコンタクトバンクを有する１つのマルチポイント・ピン・コネクタに接続することも可能である。
【００１２】
本発明のさらなる利点および特徴は、以下の本明細書、および本発明の実施形態によって示される。
【発明を実施するための最良の形態】
【００１３】
プラグイン接続装置は、キャリア基板３１０上などに配置されるマルチポイント・ピン・コネクタ（図１に、全体を符号１００で示す）と、別のキャリア基板３２０上などに配置されるマルチポイント・スロット・コネクタ（図２に、全体を符号２００で示す）とを備える。
【００１４】
マルチポイント・ピン・コネクタ１００は、バンク状に配置されたコンタクト素子１２０を内部に含むシェル１１０を備える。マルチポイント・ピン・コネクタ１００において、直線状に並置された計４つのバンクのコンタクト素子１２０が視認される。
【００１５】
同様に、マルチポイント・スロット・コネクタ２００は、バンク状に並置されたバネ素子（図２では視認不可）を内部に含むシェル２１０を備える。同様に、図２に示すマルチポイント・スロット・コネクタ２００は、並置された計４つのバンクのコンタクト素子を備える。シェル２１０の内部には、マルチポイント・ピン・コネクタ１００のコンタクト素子１２０が自己センタリングによって導入させるために、各バネコンタクト素子２２０（図４）の上に位置する円錐状の開口２０５が各バンクの上に設けられる。
【００１６】
バネコンタクト素子２２０は、図４に詳細に示される。バネコンタクト素子２２０は、開口２２２を有する略Ｖ字形の形状で構成され、マルチポイント・ピン・コネクタ１００のピン状のコンタクト素子１２０（図３）は開口２２２と嵌合することで差込み状態となり、各バネコンタクト素子２２０に配置された２つのバネ素子２２４、２２６の弾力（復元力）によって保持される。コンタクトを確立するために、図３に示すマルチポイント・ピン・コネクタは、水平線を中心として１８０°回転され、そして、ピン形のコンタクト１２０は、バネコンタクト素子２２０の開口２２２に導入される。
【００１７】
図３および図４には、並置されたバンク状のコンタクト素子１２０および２２０それぞれの配置が特に明確に示されている。図示した実施形態では、４つのバンクのコンタクト素子１２０および２２０は、それぞれ並置される。コンタクトは、マルチポイント・ピン・コネクタ１００の場合、はんだ端子（はんだパッド）３３０を介して、プリント配線基板３１０とコンタクト素子１２０とのコンタクトが確立される。マルチポイント・スロット・コネクタ２００の場合、はんだ端子３４０を介して、プリント配線基板３２０とコンタクト素子２２０とのコンタクトが確立される。
【００１８】
図３、図４、図５、および図６に明示されるように、コンタクト素子１２０および２２０の各々には、プリント配線基板３１０または３２０に対向する面に、略Ｌ字形のはんだ端子１２８または２２８が設けられ、はんだ端子１２８および２２８は、ＳＭＴ技術を用いて、プリント配線基板３１０または３２０に配置される、対応するはんだパッド３３０または３４０に電気的に接続される。
【００１９】
図５および６に明示されるように、１対のコンタクトバンク内のコンタクト素子１２０および２２０の各々のはんだ端子１２８，２２８の間の間隔Ｂよりも、別の対のコンタクトバンクにおける隣接するコンタクトバンクのコンタクト素子１２０，２２０間の間隔Ａが大きくなるように、組み合わせられたコンタクト素子１２０および２２０の各対のはんだ端子１２８および２２８の各々は、相互に１８０°の角度で配置される。それによって、例えば、キャリア基板３１０および３２０それぞれに設けられる印刷導体または貫通接続穴を受け入れるのに適するダクトＫが、前記１対のコンタクトバンクの間に得られる（図１〜４には不図示）。
【００２０】
キャリア基板３１０および３２０のはんだ端子のレイアウトは、図９に図式的に示される。図９に示されるように、１対のコンタクトバンクの１つのコンタクトバンクのコンタクト素子のはんだパッド３３０と、隣接する対のコンタクトバンクにおける１つのコンタクトバンクのコンタクト素子のはんだパッド３３０との間隔Ａは、１対のコンタクトバンク内のコンタクトバンクのコンタクト素子のはんだパッド３３０間の間隔Ｂよりも大きい。図９に、貫通接続部３５７および印刷導体３５０、３５１が図式的に示される。貫通接続部３５７および印刷導体３５０、３５１は、ダクトＫに配置されてもよいが、１対のコンタクトバンク内のはんだ領域間に実現することは容易ではない。
【００２１】
特に図１〜４に明示されるように、スナップイン素子３７０は、シェル１１０および２１０の対応する爪部１１９および２１９の各々に対してスナップインによって取り付けられるように、同様にはんだ接続を用いてキャリア基板３１０および３２０の各々に設けられる。シェル１１０および２１０をプリント配線基板上で中心に合わせて配置するため、キャリア基板３１０、３２０に面し、かつ、フォームロック結合によってキャリア基板３１０、３２０の対応する開口に係合するセンタリングピン１２１および２２１をさらに設けてもよい。
【００２２】
図７および図８に示すマルチポイント・ピン・コネクタおよびマルチポイント・スロット・コネクタの例示的な実施形態は、コンタクト素子がコネクタから横方向に出ている、すなわち、プリント配線基板３１０、３２０に垂直ではなく、プリント配線基板３１０、３２０に略平行に配置されるという点において、図１〜６に示すマルチポイント・ピン・コネクタおよびマルチポイント・スロット・コネクタと異なる。プリント配線基板が図７および図８に示されている。
【００２３】
図７に示すように、コンタクト素子１２０’はバンク状に配置され、屈曲した導電性接続１２５’を介してはんだ端子１２８’に接続される。１対のコンタクトバンクのはんだ端子１２８’と隣接するコンタクトバンク対のはんだ端子１２８”との間の間隔Ａは、１対のコンタクトバンク内のはんだ端子１２８’および１２８”間の間隔Ｂよりも大きくなるようにはんだ端子１２８’および１２８”は屈曲される。
【００２４】
これに対応して、マルチポイント・スロット・コネクタのコンタクト素子は、シェル２１０’内に配置される。バネコンタクト２２０’は、図７に示すピン状のコンタクト素子１２０’を受け入れる開口２２６’を備えるバネアーム２２２’、２２４’を備える。各バネコンタクト２２０’は、シェル２１０’内に配置された導電性接続部２２５’を介して、屈曲したはんだ端子２２８’または２２８”の各々に接続される。この場合も、異なる対のコンタクトバンクにおける隣接するコンタクトバンクのコンタクト素子のはんだ端子は、１対のコンタクトバンク内の隣接するコンタクトバンクのコンタクト素子のはんだ素子間の間隔Ｂよりも大きい間隔Ａを有するように配置される。これにより、上述のように、ダクトＫ’が、印刷導体または貫通接続部を配置するため、２つおきの隣接する対のコンタクトバンクのはんだ端子間に形成される
【００２５】
本発明は、４つのコンタクトバンクを有するプラグイン接続装置に限定されないことは勿論である。また、本発明によると、３つのコンタクトバンクを有するプラグイン接続装置において、例えば、２つのコンタクトバンクを１対のコンタクトバンクとして組み合わせ、第３コンタクトバンクを、このコンタクトバンクのコンタクト素子のはんだ領域が前記対のコンタクトバンクにおけるコンタクトバンクのコンタクト素子のはんだ領域からさらに間隔を空けて配置されるように構成されてもよい。
【００２６】
さらに、４つより多いコンタクトバンクを有するプラグイン接続装置を構成することも可能であり、その場合は、偶数のコンタクトバンクを設けることが非常に有利となる。これは、全てのコンタクトバンクを対として組み合わせて、かつ、上述のダクトのようなダクトをそれらの対の間に形成し、印刷導体または貫通接続穴などをかかるダクトに配置するためである。
【００２７】
図１および図２に示されるように、コンタクト素子１２０に対向する溝部１８２は、マルチポイント・ピン・コネクタ１００のシェル１１０の端面に非対称に配置される。それに対応して、隆起部２８２はマルチポイント・スロット・コネクタ２００のシェル２１０の端面２８０に設けられる。プラグイン接続装置がマルチポイント・ピン・コネクタ１００とマルチポイント・スロット・コネクタ２００との間に確立される場合、マルチポイント・ピン・コネクタ１００は、所定の位置にてマルチポイント・スロット・コネクタ２００に接続され得るように、この隆起部２８２が溝部１８２に嵌め込まれる。これによって、接続が非互換性を備えたものとなる。
【００２８】
この場合、溝部１８２および隆起部２８２は、例えば４つのコンタクトバンクを有するマルチポイント・スロット・コネクタ２００が、各々が２つのコンタクトバンクを有する、２つのマルチポイント・ピン・コネクタ１００を受け入れることができるように配置される。この場合は、２つのコンタクトバンクのみを有するマルチポイント・ピン・コネクタ１００は、極性反転が同様に防止されるように、単一の溝部のみを有し、この配置によって、２つのマルチポイント・ピン・コネクタが、所定の位置に並ぶ状態でマルチポイント・スロット・コネクタ２００に嵌合されることが可能となる。
【図面の簡単な説明】
【００２９】
【図１】本発明によるプラグイン接続装置のマルチポイント・ピン・コネクタの概略図である。
【図２】プラグイン接続装置のマルチポイント・スロット・コネクタの概略図である。
【図３】図１における、マルチポイント・ピン・コネクタの、バンク状に配置したコンタクト素子の概略図である。
【図４】図２における、マルチポイント・スロット・コネクタの、バンク状に配置したコンタクト素子の概略図である。
【図５】図１に示すマルチポイント・ピン・コネクタの底面図である。
【図６】図２に示すマルチポイント・スロット・コネクタの底面図である。
【図７】横方向に並置されたコンタクト素子を有するマルチポイント・ピン・コネクタの別の実施形態の断面図である。
【図８】図７に示すマルチポイント・ピン・コネクタと適合する、横方向に並置されたコンタクト素子を有するマルチポイント・スロット・コネクタの断面図である。
【図９】本発明によるプラグインコネクタのマルチポイント・ピン・コネクタおよびマルチポイント・スロット・コネクタそれぞれのはんだ端子の概略図である。
【符号の説明】
【００３０】
１００…マルチポイント・ピン・コネクタ
２００…マルチポイント・スロット・コネクタ
１２０，２２０…コンタクト素子
１２８，２２８…はんだ端子
１１０，２１０…シェル
【図１】
2007066890.tif 000003
【図２】
2007066890.tif 000004
【図３】
2007066890.tif 000005
【図４】
2007066890.tif 000006
【図５】
2007066890.tif 000007
【図６】
2007066890.tif 000008
【図７】
2007066890.tif 000009
【図８】
2007066890.tif 000010
【図９】
2007066890.tif 000011
【外国語明細書】
2007066890000001.pdf